(57)【要約】【課題】切り花等を容器に収容した場合に、この切り花等の位置を容器内にて安定させること。【解決手段】容器１の補助具１０が、容器１の上面開口部４に配置可能な本体部２０と、本体部２０の両方の側面のそれぞれから側方に張り出した張り出し部３１、３２を備え、本体部２０を上下に貫通する少なくとも一つの開口用孔２１ａ、２４ａが本体部２０に形成されている。さらに、本体部２０が容器１の上面開口部４に配置された状態で張り出し部３１、３２が上面開口部４の縁３上に配置される。さらに、本体部２０および張り出し部３１、３２は板紙等の板状部材を組み立てたものであり、本体部２０の上面を構成する上面板状部材２１と張り出し部３１、３２は一体に形成されている。【選択図】        図１
2005035557.tif 000002
【特許請求の範囲】
【請求項１】
容器の上面開口部に配置可能な本体部と、この本体部の両方の側面のそれぞれから側方に張り出した張り出し部を備え、
前記本体部を上下に貫通する少なくとも一つの開口用孔が前記本体部に形成され、前記開口用孔は前記上面開口部より小さく形成され、
前記本体部が前記容器の上面開口部に配置された状態で前記張り出し部が前記容器の上面開口部の縁上に配置されることを特徴とする容器の補助具。
【請求項２】
請求項１に記載した容器の補助具であって、
前記本体部および張り出し部は板紙等の板状部材を組み立てたものであり、前記本体部の上面を構成する上面板状部材と前記張り出し部は一体に形成されていることを特徴とする容器の補助具。
【請求項３】
請求項２に記載した容器の補助具であって、
前記本体部が容器の上面開口部に配置された状態において、前記本体部の両側面のそれぞれを構成する側面板状部材は前記容器の側壁の内面に接することを特徴とする容器の補助具。
【請求項４】
請求項３に記載した容器の補助具であって、
前記本体部は上面板状部材、一方の側面の側面板状部材、他方の側面の側面板状部材および下面板状部材により構成され、
前記上面板状部材と両側面の側面板状部材との連結部および前記下面板状部材と両側面の側面板状部材との連結部が折目状であり、これらの連結部により前記本体部を折り畳み可能であることを特徴とする容器の補助具。
【発明の詳細な説明】
【０００１】
【発明の属する技術分野】
本発明は、切り花等の容器の補助具に関し、特に容器に収容した切り花等の位置を安定させることができる容器の補助具に関するものである。
【０００２】
【従来の技術】
従来、切り花等を輸送する場合に、切り花等を入れる容器が用いられている。この容器は、ほとんどの場合ほぼバケツ状のものである。この容器の底に水（栄養剤を含む。）を入れた状態で、切り花等をこの容器に入れて輸送していた。（例えば特許文献１）
しかし、この場合、容器の上面開口部の面積が切り花等の太さより著しく広いので、切り花等をこの容器に入れて輸送する際に切り花等を前記容器内で安定させることが困難であった。
なお、上記特許文献１において、多種類の切り花等を容器に収容するために、容器の開口部にゴム等の紐状体を交差させて配置し、前記開口部をこの紐状体で分割することが開示されている。
【０００３】
【特許文献１】
特開２００２−３２６６３０公報
【０００４】
【発明が解決しようとする課題】
しかし、上記従来例の紐状体は容器に入れた切り花等の位置を安定させるためのものではないので、容器に収容した切り花等の位置を安定させるには不十分であった。
そこで、本発明が解決しようとする課題は、容器に収容した切り花等の位置を容器内にて安定させることができる容器の補助具を提供することである。
【０００５】
【課題を解決するための手段】
上記課題を解決するため、請求項１記載の発明は、容器の上面開口部に配置（嵌合状態を含む。）可能な本体部と、この本体部の両方の側面のそれぞれから側方に張り出した張り出し部を備え、前記本体部を上下に貫通する少なくとも一つの開口用孔が前記本体部に形成され、前記開口用孔は前記上面開口部より小さく形成され、前記本体部が前記容器の上面開口部に配置された状態で前記張り出し部が前記容器の上面開口部の縁上に配置されることを特徴とする容器の補助具である。
これにより、容器の補助具の本体部が容器の上面開口部に配置された状態で、この本体部の両方の側面のそれぞれから側方に張り出した張り出し部が前記容器の上面開口部の縁上に配置されるので、この張り出し部が前記本体部を支える。そして、前記本体部を上下に貫通する少なくとも一つの開口用孔は前記上面開口部より小さく形成されているので、容器に収容された切り花等が前記開口用孔を挿通することにより、この開口用孔が容器に収容された切り花等の位置を安定させることができる。
【０００６】
さらに、請求項２記載の発明は、請求項１記載の発明において、前記本体部および張り出し部は板紙等の板状部材を組み立てたものであり、前記本体部の上面を構成する上面板状部材と前記張り出し部は一体に形成されていることである。
これにより、前記本体部および張り出し部を板状部材により容易に構成することができる。
【０００７】
さらに、請求項３記載の発明は、請求項２に記載した発明において、前記本体部が容器の上面開口部に配置された状態において、前記本体部の両側面のそれぞれを構成する側面板状部材は前記容器の側壁の内面に接することである。
これにより、前記本体部の両側面の位置が前記容器の側壁の内面により規制されるので、前記本体部の位置が安定する。
【０００８】
さらに、請求項４記載の発明は、請求項３に記載した発明において、前記本体部は上面板状部材、一方の側面の側面板状部材、他方の側面の側面板状部材および下面板状部材により構成され、前記上面板状部材と両側面の側面板状部材との連結部および前記下面板状部材と両側面の側面板状部材との連結部が折目状であり、これらの連結部により前記本体部を折り畳み可能であることである。
これにより、補助部材の前記本体部を折り畳むことができる。
【０００９】
【発明の実施の形態】
以下、本発明における実施の形態を図面に基づいて説明する。図１は、本発明の実施の形態に係る容器の補助具を示し、図２はこの補助具の正面を示し、図３はこの補助具の使用状態を示す。
【００１０】
図１に示すように、容器１の補助具１０は、容器１の上面開口部４に配置可能な本体部２０と、この本体部２０の両方の側面のそれぞれから側方に張り出した張り出し部３１、３２を備えている。本体部２０および張り出し部３１、３２は板紙等の一枚の板状部材を加工して組み立てたものであり、本体部２０の上面を構成する上面板状部材２１と張り出し部３１、３２は一体に形成されている。
【００１１】
本体部２０は、上面板状部材２１、一方の側面の側面板状部材２２、他方の側面の側面板状部材２３および下面板状部材２４により角筒状に構成され、上面板状部材２１と両側面の側面板状部材２２、２３との連結部２５、２６および下面板状部材２４と両側面の側面板状部材２２、２３との連結部２７、２８は折目状である。
【００１２】
図１に示すように、少なくとも１つの（例えば４つの）貫通孔２１ａが上面板状部材２１に形成され、下面板状部材２４には、上記貫通孔２１ａに対応する貫通孔２４ａが形成されている。この貫通孔２１ａ、２４ａは、容器１の上面開口部４よりも面積が小さい開口部を構成するものである。このため、本体部２０を上下に貫通する少なくとも一つの開口用孔２１ａ、２４ａが本体部２０に形成されている。
【００１３】
本体部２０が容器１の上面開口部４に配置された状態で張り出し部３１、３２が容器１の上面開口部４の縁３（図３に示す容器１の側壁２の上端部に相当する。）上に配置される。これにより、補助具１０がその張り出し部３１、３２によって縁３に支えられる。また、この場合、図３に示すように、本体部２０の両側面のそれぞれを構成する側面板状部材２２、２３は容器１の側壁２の内面２ａに接する。このため、補助具１０の位置が容器１内にて安定する。
【００１４】
また、図３に示すように、容器１の側壁２の内面２ａ間の間隔は上面開口部４の位置で一番長く、図示下方になるほど短くなっているので、図２に示すように、上面板状部材２１（図１参照）の両側の側面板状部材２２、２３間の長さＶは下面板状部材２４の両側の側面板状部材２２、２３間の長さＹよりも長いが、一方の側面の側面板状部材２２の上下面板状部材２１、２４間の長さＷは他方の側面の側面板状部材２３の上下面板状部材２１、２４間の長さＸより短く形成され、前記ＶとＷとの合計が前記ＸとＹとの合計に等しくなるように形成されているので、上面板状部材２１と一方の側面の側面板状部材２２を連結部２５〜２８により一枚の平板状にしたものを下面板状部材２４と他方の側面板状部材２３を連結部２５〜２８により一枚の平板状にしたものに重ねることが可能である。
【００１５】
以上の構成の補助具１０は、以下のように動作する。
容器１の補助具１０の本体部２０が容器１の上面開口部４に配置された状態で、本体部２０の両方の側面のそれぞれから側方に張り出した張り出し部３１、３２が容器１の上面開口部４の縁３上に配置されるので、この張り出し部３１、３２が本体部２０を支える。このため、補助具１０はその張り出し部３１、３２により容器１の縁３に支えられる。
そして、容器１に収容された切り花４０の茎４１等が本体部２０を上下に貫通する少なくとも一つの開口用孔２１ａ、２４ａを挿通することができるので、この開口用孔２１ａ、２４ａが容器１に収容された切り花４０等の位置を安定させることができる。このようにすると、切り花４０の容器１内の位置を安定させることができるので、切り花４０の傷みを少なくすることができる。なお、この場合、切り花４０の花弁４２は容器１の上に出ている。このため、花弁４２の径が茎４１の径より大きくても、切り花４０を容器１に収容できる。
【００１６】
さらに、本体部２０および張り出し部３１、３２を板状部材により容易に構成することができる。
さらに、本体部２０の両側面が容器１の側壁２の内面２ａに規制されるので、本体部２０の位置を安定させることができる。
さらに、容器１の側壁２の内面２ａで囲まれた内部が上面開口部４において最も広くなるように側壁２の内面２ａが傾斜している場合にて、上面板状部材２１の前記両側面間の長さＶが下面板状部材２４の前記両側面間の長さＹより長い場合でも、補助具１０を使用しないときには、補助具１０を折り畳むことができる。
【００１７】
なお、上記実施の形態において、補助具１０は一枚の板状部材を組み立てたものであるが、これに限定されず、補助具１０は任意の材料により構成される。
また、図１の上面板状部材２１の開口用孔２１ａの代わりに二点鎖線で示す開口用孔２１ｂを上面板状部材２１に上面開口部４より小さく形成し、下面板状部材２４の開口用孔２４ａの代わりに開口用孔２１ｂに対応する二点鎖線で示す開口用孔２４ｂを下面板状部材２４に形成してもよい。
図５は、この場合の補助具１０の開口用孔２１ｂ、２４ｂ（図１参照）を挿通する切り花４５の束を容器１に収容した場合を示す。なお、複数の切り花４５の茎４６がテープ４８で束ねられている。また、切り花４５の花弁４７が容器１の上側に出ている。このため、花弁４７の径が茎４６の径より大きくても、切り花４５の束を容器１に収容できる。
【００１８】
また、図１の二点鎖線で示すように、下面板状部材２４の両端に張り出し部３３、３４を形成することができる。これにより、張り出し部３３、３４が容器１の側壁２の内面２ａに当接するようにすることができるので、補助具１０を容器１の上面開口部４に配置したときに、補助具１０の位置を容器１内にて一層安定させることができる。
【００１９】
また、図４に示すように、容器１に上枠体５を配置した状態で、切り花５０を容器１に収容することができる。このようにすると、図３の場合の切り花４０よりも長い切り花５０を容器１に収容することができる。なお、ここでは、切り花５０の茎５１が補助具１０の貫通孔２１ａ、２４ａを挿通し、その花弁５２が上枠体５の上側に出ている。
さらに、図４において、容器１の上側にて上枠体５の内側に二点鎖線で示すように上下逆にした補助具１０を配置してもよい。なお、この場合でも補助具１０の張り出し部３１、３２（図１参照）は容器１の縁３で支えられている。このようにすると、補助具１０が切り花５０を支える位置を上記の場合よりも上方にすることができる。
さらに、図１の補助具１０の開口用孔２１ｂ、２４ｂに切り花の束を挿通させて切り花の束を容器１に収容した場合にも、図４のように上枠体５を使用することができる。
【００２０】
【発明の効果】
請求項１記載の発明に係る容器の補助具によれば、容器に収容した切り花等の位置を安定させることができる。
さらに、請求項２記載の発明によれば、請求項１記載の発明の効果とともに、前記容器の補助具の本体部および張り出し部を容易に構成することができる。
さらに、請求項３記載の発明によれば、請求項２記載の発明の効果とともに、前記補助具の本体部を前記容器内にて安定させることが容易になる。
さらに、請求項４記載の発明は、請求項３記載の効果とともに、容器の補助具の上面板状部材の両側面間の長さが下面板状部材の両側面間の長さより長い場合でも、容器の補助具を使用しないときに、容器の補助具を折り畳むことができる
【図面の簡単な説明】
【図１】本発明の実施の形態に係る容器の補助具の斜視図である。
【図２】図１に示す容器の補助具の正面図である。
【図３】図１に示す補助具の使用状態を示す正面図である。
【図４】図３の使用状態の変形例を示す正面図である。
【図５】図１に示す補助具の開口用孔の変形例の使用状態を示す正面図である。
【符号の説明】
１  容器
２  側壁
２ａ  内面
３  縁
４  上面開口部
１０  補助具
２０  本体部
２１  上面板状部材
２１ａ、２１ｂ  開口用孔
２２、２３  側面板状部材
２４  下面板状部材
２４ａ、２４ｂ  開口用孔
２５、２６、２７、２８  連結部
３１、３２  張り出し部
【図１】
2005035557.tif 000003
【図２】
2005035557.tif 000004
【図３】
2005035557.tif 000005
【図４】
2005035557.tif 000006
【図５】
2005035557.tif 000007